(57)【要約】【課題】異なる種類の素材データを任意に組み合わせて同時に再生することが可能な再生装置、再生方法、その記録媒体およびプログラムを提供する。【解決手段】記憶装置１３は、種類の異なる複数の素材データを含むデータ１５と、素材データの再生順や再生時間などを指定するプレイリスト１４とを格納する。ＣＰＵ１２は、記憶装置１３に記憶された素材データのうち画像に関わる種類の画像系データを再生して表示装置１８に表示させる。ＣＰＵ１２は、記憶装置１３に記憶された素材データのうち音声に関わる種類の音声系データを再生して音声出力装置１９より音声を出力させる。また、ＣＰＵ１２は、記憶装置１３より参照したプレイリスト１４に従って画像系データの再生と音声系データの再生の制御を各々同時に行う。【選択図】  図１
2005020202.tif 000002
【特許請求の範囲】
【請求項１】
素材データである画像データと音声データを少なくとも再生可能な再生装置であって、
データ属性の異なる複数の前記素材データと、前記素材データの再生順を少なくとも指定するプレイリストとを格納する記憶手段と、
前記記憶手段に記憶された前記素材データのうち画像に関わる前記データ属性を有する画像データを再生して表示装置に表示させる表示処理手段と、
前記記憶手段に記憶された前記素材データのうち音声に関わる前記データ属性を有する音声データを再生して音出力装置より音を出力させる音声処理手段と、
前記記憶手段より参照した前記プレイリストに従って前記表示処理手段と前記音声処理手段の各々に対して同時に再生制御を行う制御手段と
を具備することを特徴とする再生装置。
【請求項２】
前記データ属性は、前記素材データの再生時に人間が働かせる感覚の種類に応じて特定されるものであることを特徴とする請求項１に記載の再生装置。
【請求項３】
前記プレイリストに対する編集作業や各種設定作業を利用者に促す編集・設定画面を前記表示装置に表示させる編集・設定手段を更に具備することを特徴とする請求項１または請求項２に記載の再生装置。
【請求項４】
前記編集・設定手段は、前記プレイリストを基に、前記データ属性別に前記素材データの再生開始タイミングを指定した属性別プレイリストを利用者が編集できる前記編集・設定画面を前記表示装置に表示させることを特徴とする請求項３に記載の再生装置。
【請求項５】
前記編集・設定手段は、前記プレイリストに含まれる前記素材データに対して、繰り返し再生する素材データの前記データ属性を利用者が設定することができる前記編集・設定画面を前記表示装置に表示させることを特徴とする請求項３または請求項４に記載の再生装置。
【請求項６】
前記編集・設定手段は、前記プレイリストに含まれる前記素材データに対して、ランダム再生する素材データの前記データ属性を利用者が設定することができる前記編集・設定画面を前記表示装置に表示させることを特徴とする請求項３または請求項４に記載の再生装置。
【請求項７】
素材データである画像データと音声データを少なくとも再生可能な再生装置を用いた再生方法であって、
データ属性の異なる複数の前記素材データと、前記素材データの再生順を少なくとも指定するプレイリストとを記憶手段に格納する格納ステップと、
前記記憶手段に記憶された前記素材データのうち画像に関わる前記データ属性を有する画像データを再生して表示装置に表示させる表示処理ステップと、
前記記憶手段に記憶された前記素材データのうち音声に関わる前記データ属性を有する音声データを再生して音出力装置より音を出力させる音声処理ステップと、
前記記憶手段より参照した前記プレイリストに従って前記表示処理ステップと前記音声処理ステップの各々に対して同時に再生制御を行う制御ステップとを含むことを特徴とする再生方法。
【請求項８】
素材データである画像データと音声データを少なくとも再生可能な再生装置用のプログラムを記録したコンピュータ読み取り可能な記録媒体であって、
データ属性の異なる複数の前記素材データと、前記素材データの再生順を少なくとも指定するプレイリストとを記憶手段に格納する記憶工程のコードと、
前記記憶手段に記憶された前記素材データのうち画像に関わる前記データ属性を有する画像データを再生して表示装置に表示させる表示処理工程のコードと、
前記記憶手段に記憶された前記素材データのうち音声に関わる前記データ属性を有する音声データを再生して音出力装置より音を出力させる音声処理工程のコードと、
前記記憶手段より参照した前記プレイリストに従って前記表示処理工程と前記音声処理工程の各々に対して同時に再生制御を行う制御工程のコードとを記録したコンピュータ読み取り可能な記録媒体。
【請求項９】
素材データである画像データと音声データを少なくとも再生可能な再生装置用のプログラムであって、
データ属性の異なる複数の前記素材データと、前記素材データの再生順を少なくとも指定するプレイリストとを記憶手段に格納させる記憶工程と、
前記記憶手段に記憶された前記素材データのうち画像に関わる前記データ属性を有する画像データを再生して表示装置に表示させる表示処理工程と、
前記記憶手段に記憶された前記素材データのうち音声に関わる前記データ属性を有する音声データを再生して音出力装置より音を出力させる音声処理工程と、
前記記憶手段より参照した前記プレイリストに従って前記表示処理工程と前記音声処理工程の各々に対して同時に再生制御を行う制御工程とをコンピュータに実行させるためのプログラム。
【発明の詳細な説明】
【０００１】
【発明の属する技術分野】
本発明は、例えばスライドショー・プログラムやプレゼンテーション・システムのように画像や音声など異なる種類のデータを自動的にプレイリストに基づいて並行に再生する再生装置、再生方法、その記録媒体およびプログラムに関する。
【０００２】
【従来の技術】
近年、コンピュータの進歩に伴いコンピュータ上で静止画像、動画像、音楽データ、音声データと言ったような多様な素材データを複合化したマルチメディアと呼ばれるデータを取り扱えるようになり、コンピュータ上でマルチメディア・データを再生できるようになった。
【０００３】
例えば、オーディオＣＤやビデオＣＤ等のマルチメディア・データを記録している記録媒体を再生装置（コンピュータ）に挿入すると、再生装置が、自動的に記録媒体に記録されているマルチメディア・データを順番に表示・再生することができる技術が開示されている（例えば、特許文献１参照。）。
また、例えば、デジタルカメラで記憶した画像や音声を簡便にプログラム再生する手段に関する技術が開示されている（例えば、特許文献２参照。）。
【０００４】
【特許文献１】
特開平８−０２２６８８号公報
【特許文献２】
特開平６−３１９１０３号公報
【０００５】
【発明が解決しようとする課題】
しかしながら、例えばスライドショーのようなプログラムにおいて、静止画像しか自動再生できない（＝例えば途中で動画像を再生することができない）という問題点がある。
また、例えば、マルチメディア・データを再生するアプリケーションにおいて、一つのアプリケーション上で複数種類の素材データをいかなる組み合わせでも同時に再生できるというアプリケーションは存在せず、上述した複数種類の素材データをいかなる組み合わせでも同時に再生できる技術の提供が望まれていた。
【０００６】
本発明は上記問題点を鑑みてなされたものであり、異なる種類の素材データを任意に組み合わせて同時に再生することが可能な再生装置、再生方法、その記録媒体およびプログラムを提供することを目的とする。
【０００７】
【課題を解決するための手段】
この発明は、上述した課題を解決すべくなされたもので、本発明による再生装置においては、素材データである画像データと音声データを少なくとも再生可能な再生装置であって、データ属性の異なる複数の素材データと、素材データの再生順を少なくとも指定するプレイリストとを格納する記憶手段と、記憶手段に記憶された素材データのうち画像に関わるデータ属性を有する画像データを再生して表示装置に表示させる表示処理手段と、記憶手段に記憶された素材データのうち音声に関わるデータ属性を有する音声データを再生して音出力装置より音を出力させる音声処理手段と、記憶手段より参照したプレイリストに従って表示処理手段と音声処理手段の各々に対して同時に再生制御を行う制御手段とを具備することを特徴とする。
【０００８】
また、本発明による再生方法においては、素材データである画像データと音声データを少なくとも再生可能な再生装置を用いた再生方法であって、データ属性の異なる複数の前記素材データと、前記素材データの再生順を少なくとも指定するプレイリストとを記憶手段に格納する格納ステップと、前記記憶手段に記憶された前記素材データのうち画像に関わる前記データ属性を有する画像データを再生して表示装置に表示させる表示処理ステップと、前記記憶手段に記憶された前記素材データのうち音声に関わる前記データ属性を有する音声データを再生して音出力装置より音を出力させる音声処理ステップと、前記記憶手段より参照した前記プレイリストに従って前記表示処理ステップと前記音声処理ステップの各々に対して同時に再生制御を行う制御ステップとを含むことを特徴とする。
【０００９】
また、本発明による記録媒体は、素材データである画像データと音声データを少なくとも再生可能な再生装置用のプログラムを記録したコンピュータ読み取り可能な記録媒体であって、データ属性の異なる複数の前記素材データと、前記素材データの再生順を少なくとも指定するプレイリストとを記憶手段に格納する記憶工程のコードと、前記記憶手段に記憶された前記素材データのうち画像に関わる前記データ属性を有する画像データを再生して表示装置に表示させる表示処理工程のコードと、前記記憶手段に記憶された前記素材データのうち音声に関わる前記データ属性を有する音声データを再生して音出力装置より音を出力させる音声処理工程のコードと、前記記憶手段より参照した前記プレイリストに従って前記表示処理工程と前記音声処理工程の各々に対して同時に再生制御を行う制御工程のコードとを記録したコンピュータ読み取り可能な記録媒体である。
【００１０】
また、本発明によるプログラムは、素材データである画像データと音声データを少なくとも再生可能な再生装置用のプログラムであって、データ属性の異なる複数の前記素材データと、前記素材データの再生順を少なくとも指定するプレイリストとを記憶手段に格納させる記憶工程と、前記記憶手段に記憶された前記素材データのうち画像に関わる前記データ属性を有する画像データを再生して表示装置に表示させる表示処理工程と、前記記憶手段に記憶された前記素材データのうち音声に関わる前記データ属性を有する音声データを再生して音出力装置より音を出力させる音声処理工程と、前記記憶手段より参照した前記プレイリストに従って前記表示処理工程と前記音声処理工程の各々に対して同時に再生制御を行う制御工程とをコンピュータに実行させるためのプログラムである。
【００１１】
これにより、本発明の再生装置、再生方法、その記録媒体およびプログラムにおいては、素材データが画像データと音声データに大別できる場合に、画像データを再生して表示装置に表示させる表示処理と、音声データを再生して音出力装置より音を出力させる音声処理とを行う際に、プレイリストに従って表示処理と音声処理を同時に制御するので、異なる種類の素材データを任意に組み合わせて同時に再生することができる。
【００１２】
【発明の実施の形態】
以下、図面を用いて本発明の実施形態について説明する。
まず、本発明の一実施形態である再生装置の概略構成について説明する。尚、実施形態の再生装置は、静止画像、動画像、音楽データ、音声データなどの素材データを再生可能なコンピュータである。
【００１３】
図１は、本発明の一実施形態である再生装置の概略構成を示す図である。図１に示すように再生装置１０は、再生装置１０内部でデータをやり取りするためのバスであるデータバス１１と、プログラムを実行することにより再生装置内の制御などをデータバス１１経由で行うＣＰＵ（中央演算装置）１２と、種々の情報を記憶する記憶装置１３と、例えばキーボードやマウスなどである入力装置１７と、例えばＣＲＴ（Ｃａｔｈｏｄｅ  Ｒａｙ  Ｔｕｂｅ）や液晶ディスプレイなどである表示装置１８と、例えばスピーカなどである音声出力装置１９とで構成されている。また、ＣＰＵ１２は、異なる種類（データ属性）の素材データを自動的に同時に再生する自動再生プログラムを記憶装置１３より読み出して実行する。この自動再生プログラムはマルチメディア・データを自動再生できるプログラムである。
【００１４】
また、記憶装置１３は、再生する素材データのファイル名や再生開始タイミングなどを特定するファイルであるプレイリスト１４と、自動再生プログラムが取り扱う複数種類の素材データを含むデータ１５と、自動再生に関する設定情報である設定１６を記憶する。ＣＰＵ１２は、データバス１１を介して記憶装置１３に記憶されているプレイリスト１４やデータ１５および設定１６を読み込み、再生処理を実行する。また、ＣＰＵ１２は、利用者が入力装置１７を利用して自動再生に関する設定を行うことができるよう、例えば設定画面であるＧＵＩ（Ｇｒａｐｈｉｃａｌ  Ｕｓｅｒ  Ｉｎｔｅｒｆａｃｅ）を提供する。
【００１５】
また、表示装置１８は、データバス１１を介してＣＰＵ１２から表示命令と表示データを受け取り、表示データに応じた表示を行う。また、音声出力装置１９は、データバス１１を介してＣＰＵ１２から音声出力命令と音声データを受け取り、音声データに応じた音声を出力する。
【００１６】
ここで、素材データの再生設定を行うためのＧＵＩの一例を図３を用いて説明する。
図３（ａ）において、３１は、プレイリスト１４で定義される素材データの再生順序を示すための素材データウインドウであり、スクロールバーにより上下にスクロールできる。図３（ａ）に示す素材データウインドウ３１には、上から静止画、音声、動画像の素材データが表示されている。本実施形態においては、プレイリスト１４における各素材データの再生順序に応じて、素材データウインドウ３１において上から順に各素材データが表示されるとする。
【００１７】
３２は、素材データを挿入するための挿入ボタンである。この挿入ボタン３２をマウス等でクリックすることにより、保存されている場所から素材データを読み出し、新たな素材データをプレイリスト１４に追加することができる。また、素材データウインドウ３１において、追加した素材データについて確認することもできる。
【００１８】
３３は、素材データを削除する削除ボタンである。素材データウインドウ３１に表示されている素材データを選択し、削除ボタン３３をマウス等でクリックすることにより指定の素材データを削除することができる。
【００１９】
３４，３５は、素材データの再生順序を変更するための上下ボタンである。素材データウインドウ３１に表示されている素材データを選択し、上下ボタン３４，３５をマウス等でクリックすることにより、再生順序を上下に変更することができる。
【００２０】
３６は、設定ボタンであり、前記設定ボタン３６をマウス等でクリックすることにより図３（ｂ）に示すような設定ウインドウ３８がポップアップ表示する。図３（ｂ）では静止画の設定ウインドウが示されており、再生時間、再生モード等を設定することができる。具体的には、再生モードとしてリピートまたはシャッフルのいずれかを選択して設定することができる。図３（ｂ）においては、リピートが再生モードとして設定されている。
３７は、再生ボタンであり、この再生ボタン３７をマウス等でクリックすることにより設定された順序、再生モードで素材データを順次再生する。
【００２１】
以上に示したハードウェア構成により再生装置１０は、ＣＰＵ１２が種々のプログラムを実行することにより、マルチメディア・データを自動再生するための種々の機能を実現している。
【００２２】
次に、図１に示した再生装置１０が自動再生の処理を行う際の動作について説明する。図２は、図１に示した再生装置１０が再生処理を行う際の動作を示す図である。図２に示すように、ステップＳ２０１において、ＣＰＵ１２は、記憶装置１３からデータバス１１を経由して自動再生に関する設定１６を読み込む処理を行う。具体的には、設定１６には、繰り返し再生を指定する情報やシャッフル再生（ランダム再生）を指定する情報など自動再生に関する設定情報が格納されており、ＣＰＵ１２をそれらの情報を読み込む。
【００２３】
更に設定について具体例を挙げて説明すると、例えば静止画像のスライドショー（自動再生）における設定である場合には、表示装置１８に１つの静止画像を表示する時間を３０秒と指定する設定がある。また、再生対象の素材データの一つが音楽データである場合には、その音楽データだけ繰り返し再生するように指定する設定がある。その他に、素材データの種類が静止画像と音声データの２種類である場合には、シャッフル再生するよう指定する設定がある。更に、プレイリストの再生開始位置を指定する設定などもある。これらの設定は、利用者が入力装置１７を使って入力可能な設定画面をＣＰＵ１２が表示装置１８に表示させることで実現する。これにより、利用者が、予め入力装置１７を使って設定することができる。また、利用者により設定された設定情報は設定１６として記憶装置１３に記憶される。
【００２４】
また、プレイリスト編集用画面をＣＰＵ１２が表示装置１８に表示させることで、利用者は、入力装置１７を用いてプレイリストを編集することも可能である。ここで、プレイリストの編集とは、例えば、プレイリストに記載された素材データの順番（＝再生順番とする）を並べ替えたり、複製したり、削除したりすることである。また、利用者が編集したプレイリストは、プレイリスト１４として記憶装置１３に記憶される。尚、本実施形態においては、上述したように設定画面とプレイリスト編集用画面を別々に表示装置１８に表示しているが、同一画面として例えばプレイリスト編集・設定画面として表示してもよい。
【００２５】
次に、ステップＳ２０２に進み、ＣＰＵ１２は、記憶措置１３から再生対象となるプレイリスト１４を読み込み自動再生をおこなうデータ群に関する情報を取得する。次に、ステップＳ２０３に進み、ＣＰＵ１２は、取得したプレイリスト１４を解析する。この解析結果を基に、ステップＳ２０４に進み、ＣＰＵ１２は、プレイリストに記述されている全素材データの種別判定を行う。具体的には、ＣＰＵ１２は、画像系（静止画像、動画像など）の素材データであるか、音声系（音声、音楽など）の素材データであるかを判別する。
【００２６】
ここで画像系の素材データ（以下、画像系データとする）であると判別した場合には（ステップＳ２０４の画像系）、ステップＳ２０５に進み、ＣＰＵ１２は、それらの画像系データをまとめて、静止画像や動画像用の画像系プレイリストを作成する。また、音声系の素材データ（以下、音声系データとする）であると判別した場合には（ステップＳ２０４の音声系）、ステップＳ２１０に進み、ＣＰＵ１２は、それらの音声系データをまとめて、音楽データや音声データの音声系プレイリストを作成する。尚、ステップＳ２０５およびステップＳ２１０は同時（並列）に処理される。但し、ＣＰＵ１２に２つ以上の処理を同時に行う機能が無い場合には、擬似的な同時（並列）処理（時分割による処理）でよい。また、上述した同時処理は、後述するステップＳ２０６とＳ２１１、ステップＳ２０７とＳ２１２においても同様である。
【００２７】
次に、ステップＳ２０６において、ＣＰＵ１２は、ステップＳ２０５で作成した画像系プレイリストに従い、最初に再生を行う画像系データを記憶装置１３よりデータ１５を参照して読み込む。同時に、ステップＳ２１１において、ＣＰＵ１２は、ステップＳ２１０で作成した音声系プレイリストに従い、最初に再生を行う音声系データを記憶装置１３よりデータ１５を参照して読み込む。
【００２８】
次に、ステップＳ２０７において、ＣＰＵ１２は、ステップＳ２０６で読み込んだ画像系データが音声付きであるか否かを判別する。同時に、ステップＳ２１２において、ＣＰＵ１２は、ステップＳ２１１で読み込んだ音声系データの再生を開始する。ここで、読み込んだ画像系データが音声無しだった場合（ステップＳ２０７のＮｏ）には、ステップＳ２０８に進み、ＣＰＵ１２は、音声系データを再生することで音声出力装置１９に音声出力しながら、ステップＳ２０６で読み込んだ画像系データの再生を実行する。これにより、再生された静止画像または動画像が表示装置１８に表示される。
【００２９】
また、画像系データが音声付きである場合（ステップＳ２０７のＹｅｓ）には、ＣＰＵ１２は、ステップＳ２１３に進み、音声系データの再生処理の一時停止を行うか否かを判定する。ここで、画像系データが音声付なので音声系データの再生処理を一時停止すると判定されて（ステップＳ２１３のＹｅｓ）、ステップＳ２１４に進み、ＣＰＵ１２は、音声系データの再生処理を一時停止する。また、ステップＳ２１３において音声系データの再生処理を一時停止しないと判定した場合（ステップＳ２１３のＮｏ）には、後述するステップＳ２１６へと進む。以上に示した処理により、画像系データの音声と音声系データの音声が混ざって再生されるのを防ぐことができる。
【００３０】
また、ステップＳ２０８において音声付の画像系データの再生処理が完了した場合（ステップＳ２０９）には、上述したステップＳ２１４において一時停止にした音声系データに対して、ＣＰＵ１２は再生再開するか否かを判断する（ステップＳ２１５）。ここでは、音声付画像系データの再生処理が終了しているので、再生再開すると判断して（ステップＳ２１５のＹｅｓ）、ステップＳ２１２に戻り、ＣＰＵ１２は、一時停止していた音声系データの再生処理を再開する。
【００３１】
また、ステップＳ２０８において音声付の画像系データの再生処理が完了した場合（ステップＳ２０９）に、ＣＰＵ１２はステップＳ２０６に戻り、画像系プレイリストに従い次の画像系データを記憶装置１３より読み込む処理を行う。これにより、次に、上述したようにステップＳ２０７の処理である読み込んだ画像系データの再生を行う。
【００３２】
また、ステップＳ２１２において再生処理していた音声系データの再生が完了した場合（ステップＳ２１６）には、ＣＰＵ１２は、ステップＳ２１１に戻り、音声系プレイリストに従い次の音声系データを記憶装置１３から読み込む処理を行う。その後の処理は上述したように次にステップＳ２１２に進み、読み込んだ音声系データの再生を行う。
【００３３】
以上に示したように、本実施形態における再生装置１０は、異なる種類の素材データが混在しているプレイリスト１４に応じて、自動的にかつ複数の素材データを同時に再生することができる。具体的には、再生装置１０は、画像系データと音声系データの双方の再生を同時に実行することができる。これは、ＣＰＵ１２が、上述した再生を行う自動再生プログラムを実行することで実現している。
【００３４】
尚、上述した実施形態では、プレイリスト１４に記載されている素材データは全データが記憶装置１３のデータ１５に含まれていたが、この限りではなく、プレイリスト１４内に含まれている素材データの中で記憶装置１３のデータ１５に記憶されていない素材データが存在した場合は、該当素材データの再生を飛ばしたり、プレイリスト１４から自動的に削除したりする機能を再生装置１０に更に付加してもよい。
【００３５】
また、例えば、プレイリスト１４に登録している複数の素材データの一つを削除した場合に、記憶装置１３のデータ１５内に記憶されている素材データの実体も自動的に削除される機能を再生装置１０に更に付加してもよい。
【００３６】
また、例えば、プレイリスト１４に記憶された画像系データと音声系データをそれぞれ冒頭部分だけ再生するイントロ再生といった機能を再生装置１０に更に付加してもよい。
【００３７】
また、例えば、プレイリスト１４から別のプレイリストを呼び出して再生を行う機能を再生装置１０に更に付加してもよい。また、上述した素材データは、それらを複合化したマルチメディア・データなどの多様なデータを含むものであってもよい。また、上述した素材データの種類（データ属性）は、音声系データと画像系データに分類したが、これは、素材データを再生時に人間の聴覚と視覚のどちらに感知されるかに応じて分類しているといえる。また、素材データの種類はこの限りではなく、更に人間の他の感覚（触覚、味覚、嗅覚）に応じた種類であってもよい。また、それらは一般的にデータ形式やファイル名の拡張子などで特定できる場合が多い。
【００３８】
また、上述した再生装置１０の各種機能は、ＣＰＵ１２が各種機能を実現するプログラムを実行することで実現していたが、この限りではなく、再生装置１０において各種機能を専用のハードウェアにより実現してもよく、また、各機能における一部の処理をハードウェアで行い残りの処理をＣＰＵ１２がその処理を行うためのプログラムを実行することで実現してもよい。また、上述した実施形態においては、記憶装置１３に自動再生プログラムをはじめ各種機能を実現するプログラムが格納されていたが、この限りではなく、ＣＰＵ１２がアクセス可能なメモリに格納されていてもよい。
【００３９】
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ  Ａｃｃｅｓｓ  Ｍｅｍｏｒｙ）のような揮発性のメモリ、あるいはこれらの組み合わせによるコンピュータ読み取り、書き込み可能な記録媒体より構成されるものとする。
【００４０】
また、コンピュータが読み出したプログラムの指示に基づき、コンピュータ上で稼働しているオペレーティングシステム（ＯＳ）などが実際の処理の一部または全部を行い、その処理によって前述した実施形態の各処理の機能が実現される場合も含まれる。
【００４１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示にもとづき、その機能拡張ボードや機能拡張ユニットに備わるＣＰＵなどが実際の処理の一部または全部を行い、その処理によって前述した実施形態の各処理の機能が実現されてもよい。
【００４２】
以上、この発明の実施形態について図面を参照して詳述してきたが、具体的な構成はこの実施形態に限られるものではなく、この発明の要旨を逸脱しない範囲の設計等も含まれる。
【００４３】
【発明の効果】
以上説明したように、本発明の再生装置、再生方法、その記録媒体およびプログラムにおいては、素材データが画像系データと音声系データに大別できる場合に、画像系データを再生して表示装置に表示させる表示処理と、音声系データを再生して音出力装置より音を出力させる音声処理とを行う際に、プレイリストに従って表示処理と音声処理を同時に制御するので、異なる種類の素材データを任意に組み合わせて同時に再生することができる。
【図面の簡単な説明】
【図１】本発明の一実施形態である再生装置の概略構成を示す図である。
【図２】図１に示した再生装置１０が再生処理を行う際の動作を示す図である。
【図３】本発明の一実施形態である素材データの再生設定を行うためのＧＵＩの一例を示す図である。
【符号の説明】
１０      再生装置
１１      データバス
１２      ＣＰＵ
１３      記憶装置
１４      プレイリスト
１５      データ
１６      設定
１７      入力装置
１８      表示装置
１９      音声出力装置
３１      素材データウインドウ
３８      設定ウインドウ
【図１】
2005020202.tif 000003
【図２】
2005020202.tif 000004
【図３】
2005020202.tif 000005